(57)【要約】【課題】自動車に配索されたフラットケーブルを電気接続箱のケース内部にコネクタレスで引き込み、電気接続箱の構造を簡素化して、部品点数を低減する。【解決手段】薄肉金属板あるいは厚肉金属箔からなる大電流用の帯状の導体を絶縁被覆した、電源回路用のフラットケーブルを備え、前記フラットケーブルの一側部がケース内部に挿入され、前記ケース内部に引き込まれた前記フラットケーブルの導体を露出させ、該露出部分にヒューズの電源側入力端子となる端子金具を固定して、前記導体より立設している。【選択図】図１
2007288930.tif 000002
【特許請求の範囲】
【請求項１】
薄肉金属板あるいは厚肉金属箔からなる大電流用の帯状の導体を絶縁被覆した、電源回路用のフラットケーブルを備え、
前記フラットケーブルの一側部がケース内部に挿入され、
前記ケース内部に引き込まれた前記フラットケーブルの導体を露出させ、該露出部分にヒューズの電源側入力端子となる端子金具を固定して、前記導体より立設していることを特徴とする電気接続箱。
【請求項２】
前記端子金具は、１つの端子圧接用スロットを設けた１つの入力端子金具として設け、複数個の入力端子金具を前記導体に並列固定し、あるいは複数の端子圧接用スロットを所定間隔をあけて設けた複数の入力端子部を有する端子金具として前記導体に固定しており、
かつ、前記導体と端子金具との固定は、端子金具をＬ形状として底部側を前記導体に溶接し、あるいは平板形状として底部側を導体に穿設した穴に突き刺して半田接続している請求項１に記載の電気接続箱。
【請求項３】
前記ケースは導体として前記フラットケーブルのみを収容しているヒューズブロックからなり、前記ケースには前記電源側入力端子と対向配置される出力端子挿入用の開口を設けていると共に、該ケースに被せるカバーにはヒューズ収容部を設けており、かつ、
前記カバーの内面に前記フラットケーブルを上記ケースの底面に押圧固定するリブあるいはバネ材を設けている請求項１または請求項２に記載の電気接続箱。
【請求項４】
前記ヒューズブロックは、ジャンクションボックスに設けたヒューズブロック取付部に嵌合して組みつけられ、前記ジャンクションボックス内に収容しているバスバーに設けたヒューズ用出力端子を、前記ヒューズブロックのケース開口を通して該ケース内部に突出させ、前記ヒューズ用出力端子を前記端子金具の入力端子と対向配置し、前記ヒューズ収容部に装着するヒューズと電気接続させている請求項３に記載の電気接続箱。
【請求項５】
前記ケースは、ジャンクションボックスのケースで、前記フラットケーブルはコネクタレスで前記ケースに設けた開口よりケース内部に挿入され、該ケース内に収容されているバスバーに設けたヒューズ用出力端子に、前記導体に固定した前記端子金具の入力端子とを対向配置させ、前記ケースに設けたヒューズ収容部に装着するヒューズと電気接続させている請求項１または請求項２に記載の電気接続箱。
【発明の詳細な説明】
【技術分野】
【０００１】
本発明は、電気接続箱に関し、詳しくは、電気接続箱のケース内部に自動車に配索したフラットケーブルをコネクタレスで引き込み、電気接続箱の構造を簡素化するものである。
【背景技術】
【０００２】
従来、自動車に配索される配線材として芯線を絶縁被覆した丸電線を複数本束ねたワイヤハーネスが主に用いられているが、狭い配索スペースでは帯状の導体を絶縁被覆したフラットケーブルが用いられるようになっている。
前記フラットケーブルと電気接続箱の内部回路との接続はワイヤハーネスと同様コネクタ接続により行っている。
【０００３】
具体的には、特開平１１−１４４７８０号公報（特許文献１）で提供されている図１０に示す接続端子１の立ち上がり部２をフラットケーブル３の導体４と絶縁樹脂材５に貫通させて内側に折り返し、接続端子１をフラットケーブル３に電気的に接続すると共に固定し、該接続端子１を収容したコネクタを電気接続箱のコネクタ嵌合部に嵌合する。該コネクタ嵌合部には電気接続箱の内部回路と導通した端子が突出されており、該コネクタ嵌合部に前記コネクタを嵌合することにより、フラットケーブル３に接続した接続端子１とコネクタ嵌合部内の端子とが接続されて、フラットケーブル３と電気接続箱の内部回路とが接続される。
【０００４】
しかしながら、前記のような接続構造であると、フラットケーブルに接続する接続端子１および該接続端子１を収容するコネクタが必要となり部品点数が増加し、かつ、電気接続箱側には該コネクタを嵌合するためのコネクタ嵌合部および接続端子１と接続するための端子を設けなければならない。
【０００５】
【特許文献１】特開平１１−１４４７８０号公報
【発明の開示】
【発明が解決しようとする課題】
【０００６】
本発明は前記問題に鑑みてなされたものであり、自動車に配索されたフラットケーブルを電気接続箱のケース内部にコネクタレスで引き込み、電気接続箱の構造を簡素化して、部品点数を低減することを課題としている。
【課題を解決するための手段】
【０００７】
前記課題を解決するため、本発明は、薄肉金属板あるいは厚肉金属箔からなる大電流用の帯状の導体を絶縁被覆した、電源回路用のフラットケーブルを備え、
前記フラットケーブルの一側部がケース内部に挿入され、
前記ケース内部に引き込まれた前記フラットケーブルの導体を露出させ、該露出部分にヒューズの電源側入力端子となる端子金具を固定して、前記導体より立設していることを特徴とする電気接続箱を提供している。
【０００８】
前記構成によれば、自動車に配索する電源回路用のフラットケーブルを電気接続箱のケース内部に引き込み、該フラットケーブルの導体に端子金具を固定して立設しているため、該端子金具にヒューズの入力端子を接続すると共に、出力端子を同一あるいは他の電気接続箱の内部回路と接続すれば、コネクタレスでフラットケーブルと電気接続箱の内部回路とを接続することができる。これにより、フラットケーブルと電気接続箱の内部回路との接続にフラットケーブル側のコネクタおよび該コネクタを嵌合するためのコネクタ嵌合部が不要となり、フラットケーブルと電気接続箱の内部回路との接続を簡素化でき、かつ、部品点数を低減することができる。
【０００９】
また、従来例で示したようにフラットケーブルと電気接続箱の内部回路とをコネクタを介して接続する場合、フラットケーブルと内部回路との接続位置から内部回路とヒューズの端子との接続位置までは導電性金属板を打ち抜いて形成したバスバーを配置している。
これに対し、前記構成によれば、フラットケーブルを電気接続箱の内部に引き込み、該フラットケーブルを所要の端子との接続位置まで延在させているため、従来必要であった前記バスバーが不要となり、電気接続箱の軽量化およびコスト削減を図ることができる。
【００１０】
前記端子金具は、１つの端子圧接用スロットを設けた１つの入力端子金具として設け、複数個の入力端子金具を前記導体に並列固定し、あるいは複数の端子圧接用スロットを所定間隔をあけて設けた複数の入力端子部を有する端子金具として前記導体に固定しており、
かつ、前記導体と端子金具との固定は、端子金具をＬ形状として底部側を前記導体に溶接し、あるいは平板形状として底部側を導体に穿設した穴に突き刺して半田接続していることが好ましい。
【００１１】
前記構成によれば、１つの端子金具に複数の端子圧接用スロットを設ける構成とすると端子金具のフラットケーブルへの取り付けを容易にすることができる一方、１つの端子金具に１つの端子圧接用スロットを設ける構成とすると、各端子接続部間の金属板が不要となり軽量化を図ることができる。
【００１２】
また、前記ケースは導体として前記フラットケーブルのみを収容しているヒューズブロックからなり、前記ケースには前記電源側入力端子と対向配置される出力端子挿入用の開口を設けていると共に、該ケースに被せるカバーにはヒューズ収容部を設けており、かつ、
前記カバーの内面に前記フラットケーブルを上記ケースの底面に押圧固定するリブあるいはバネ材を設けてもよい。
【００１３】
前記ヒューズブロックは、ジャンクションボックスに設けたヒューズブロック取付部に嵌合して組みつけられ、前記ジャンクションボックス内に収容しているバスバーに設けたヒューズ用出力端子を、前記ヒューズブロックのケース開口を通して該ケース内部に突出させ、前記ヒューズ用出力端子を前記端子金具の入力端子と対向配置し、前記ヒューズ収容部に装着するヒューズと電気接続させている。
【００１４】
前記構成によれば前記ヒューズブロックをジャンクションボックスに組み付けると、ヒューズブロックのケース内でフラットケーブルに取り付けた端子金具とジャンクションボックスの内部回路に設けた端子とが対向配置され、これら端子にヒューズの端子を接続することでフラットケーブルとジャンクションボックスの内部回路とを接続することができる。
なお、前記ヒューズブロックはジャンクションボックスに組み付けるものに限らず、ヒューズブロックに設けた開口に電線端末に接続した端子を挿入して、該端子をヒューズの出力端子と接続し、前記ケースを単体のヒューズブロックとしてもよい。
【００１５】
さらに、前記ケースは、ジャンクションボックスのケースで、前記フラットケーブルはコネクタレスで前記ケースに設けた開口よりケース内部に挿入され、該ケース内に収容されているバスバーに設けたヒューズ用出力端子に、前記導体に固定した前記端子金具の入力端子とを対向配置させ、前記ケースに設けたヒューズ収容部に装着するヒューズと電気接続させてもよい。
【００１６】
前記構成によれば、前記したようにコネクタレスでフラットケーブルと電気接続箱の内部回路とを接続することができ、フラットケーブルと電気接続箱の内部回路との接続を簡素化でき、かつ、部品点数を低減することができる。
【発明の効果】
【００１７】
前述したように、本発明によれば、自動車に配索する電源回路用のフラットケーブルを電気接続箱のケース内部に引き込み、該フラットケーブルの導体に端子金具を固定して立設しているため、該端子金具にヒューズの入力端子を接続すると共に、出力端子を同一あるいは他の電気接続箱の内部回路と接続すれば、コネクタレスでフラットケーブルと電気接続箱の内部回路とを接続することができる。これにより、フラットケーブルと電気接続箱の内部回路との接続にフラットケーブル側のコネクタおよび該コネクタを嵌合するためのコネクタ嵌合部が不要となり、フラットケーブルと電気接続箱の内部回路との接続を簡素化でき、かつ、部品点数を低減することができる。
【００１８】
また、フラットケーブルを内部に引き込んだケースを該フラットケーブルのみを収容したヒューズブロックとすれば、単体のヒューズブロックとして用いたり、該ヒューズブロックをジャンクションボックスに組み付けて用いることができる。前記ヒューズブロックをジャンクションボックスに組み付ける場合にも、ヒューズを介してフラットケーブルとジャンクションボックスの内部回路とをコネクタレスで容易に接続することができる。
【発明を実施するための最良の形態】
【００１９】
本発明の実施形態を図面を参照して説明する。
図１乃至図４は、本発明の第１実施形態を示し、自動車に配索されるフラットケーブル２０をケース内に引き込んで備えたヒューズブロック１０は、ジャンクションボックス３０に組み付けられるものであり、該ヒューズブロック１０をジャンクションボックス３０に組み付けた状態でフラットケーブル２０がジャンクションボックス３０の内部回路と接続される。
【００２０】
前記フラットケーブル２０は、可撓性を有する薄肉金属板あるいは厚肉金属箔からなる大電流用の帯状の導体２１を絶縁樹脂材２２で被覆した屈曲可能な配線材であり、図１に示すように、ヒューズブロック１０のケース内部に引き込む部分は絶縁被覆せずに導体２１を露出させている。該露出部分の導体２１には、導体２１の長さ方向に所要の間隔をあけてヒューズの電源側入力端子となる端子金具２３を複数固定している。該端子金具２３はＬ形状であり、一辺の底部側２３ａを導体２１に溶接する一方、先端に端子圧接用スロット２３ｃを設けた他辺側の圧接タブ２３ｂを導体２１より突出させている。
また、フラットケーブル２０の両側の所要箇所にフラットケーブル２０をヒューズブロック１０のケースに係止固定するための切欠２０ａを設けている。
なお、フラットケーブル２０は押出し成形により形成してもよいし、導体の両面に絶縁樹脂材をラミネートして形成してもよい。
【００２１】
ヒューズブロック１０のケースは、平板状のケース本体１１と、該ケース本体１１に被せる下面開口でボックス状のカバー１２とからなる。
ケース本体１１には、フラットケーブル２０の挿入方向に延在する２本のリブ１３を設けており、これらリブ１３で挟まれた領域をフラットケーブル２０の配置領域Ｓとしている。該領域Ｓの側方にはケース内にジャンクションボックス３０の内部回路に設けた端子を挿入するための開口１４を設けている。
一方、カバー１２は上壁外面にフラットケーブル２０の挿入方向に並列させて複数のヒューズ収容部１５を設けている。図２に示すように、カバー１２の上壁内面には、フラットケーブル２０と対向する位置に、該フラットケーブル２０を位置決めするための位置決めリブ１６を下方に向けて突設している。また、カバー１２の一側壁には、フラットケーブル２０を外部へ引き出すためのケーブル引出口１７を下端から切り欠いて設けている。
【００２２】
図２に示すように、ヒューズブロック１０のケース本体１１の領域Ｓにフラットケーブル２０の先端を配置し、ケース本体１１にカバー１２を組み付けると、カバー１２のリブ１６の下端がフラットケーブル２０の導体２１に押圧されて、導体２１が位置決めされる。このとき、端子金具２３の圧接タブ２３ｂがカバー１２のヒューズ収容部１５内に突出している。また、カバー１２のケーブル引出口１７の両側縁がフラットケーブル２０の切欠２０ａに挿入されてフラットケーブル２０をさらに強固に位置決め固定している。
なお、ケース本体１１とカバー１２とはロック結合しているがロック構造の図示を省略している。
【００２３】
前記ヒューズブロック１０が組み付けられるジャンクションボックス３０は、導電性金属板を所要形状に打ち抜いて形成したバスバー３１と絶縁板３２とを交互に積層して内部回路を形成し、これらの積層体をアッパーケース３３とロアケース３４からなるケース内に収容している。
ジャンクションボックス３０には、図３に示すように、その隅部にヒューズブロック取付部３５を設けており、該ヒューズブロック取付部３５に、バスバー３１の先端に圧接用スロットを設けた圧接タブからなるヒューズ用出力端子３１ａを露出させて設けている。
なお、ジャンクションボックス３０のアッパーケース３３の上面およびロアケース３４の下面にはコネクタ収容部やリレー収容部等を設けているが図示を省略している。
【００２４】
前記ジャンクションボックス３０のヒューズブロック取付部３５にヒューズブロック１０を組み付けると、図４に示すように、ジャンクションボックス３０のバスバー３１に設けたヒューズ用出力端子３１ａがヒューズブロック１０の開口１４を貫通して、ヒューズ収容部１５内に突出し、フラットケーブル２０の端子金具２３の圧接タブ２３ｂと対向配置される。この状態で、ヒューズブロック１０のヒューズ収容部１５にヒューズ４０を収容すると、ヒューズ４０の入力端子４１がヒューズブロック１０側の圧接タブ２３ｂと接続される一方、出力端子４２がジャンクションボックス３０側のヒューズ用出力端子３１ａと接続される。これにより、ヒューズ４０を介してフラットケーブル２０とジャンクションボックス３０の内部回路とが接続される。
【００２５】
前記構成によれば、フラットケーブル２０をヒューズブロック１０のケース内部に引き込み、該フラットケーブル２０の導体２１に端子金具２３を固定して立設しているため、該端子金具２３にヒューズ４０の入力端子４１を接続すると共に、出力端子４２をジャンクションボックス３０側のヒューズ用出力端子３１ａと接続すれば、コネクタレスでフラットケーブル２０とジャンクションボックス３０の内部回路とを接続することができる。これにより、フラットケーブル２０とジャンクションボックス３０の内部回路との接続にフラットケーブル側のコネクタおよび該コネクタを嵌合するためのコネクタ嵌合部が不要となり、フラットケーブル２０とジャンクションボックス３０の内部回路との接続を簡素化でき、かつ、部品点数を低減することができる。
【００２６】
図５は、第１実施形態の第１変形例を示す。
本変形例では、フラットケーブル２０の導体２１に固定する端子金具２３を第１実施形態と相違させており、端子金具２３を平板形状として底部側を導体２１に貫通した穴２１ａに突き刺して半田Ｈで接続している。
【００２７】
図６は、第１実施形態の第２変形例を示す。
本変形例では、フラットケーブル２０の導体２１に１つの端子金具２３を固定しており、該端子金具２３に複数の端子圧接用スロット２３ｃを間隔をあけて設けている。
前記構成によれば、端子金具２３を１つにできるため、端子金具２３の取り付けを容易にすることができる。
【００２８】
図７は、第１実施形態の第３変形例を示す。
本変形例では、ヒューズブロック１０内に挿入したフラットケーブル２０を押圧固定する構造を第１実施形態と相違させており、カバー１２の上壁内面よりバネ片１８を突設し、該バネ片１８によりフラットケーブル２０をケース本体１１に付勢して固定している。
【００２９】
図８は、本発明の第２実施形態を示す。
本実施形態では、ヒューズブロック１０をジャンクションボックス３０に組み付けるのではなく、ヒューズブロック１０を単体として用いており、ヒューズブロック１０に設けた貫通穴１４から電線ｗの端末に圧着した端子５０を複数挿入し、該端子５０をヒューズ４０の出力端子４２とそれぞれ接続している。
なお、本実施形態では、端子５０を位置決め固定するために開口１４の周縁からケース内部に端子収容室１９を突出させて設けている。
【００３０】
前記構成によれば、ヒューズブロック１０の内部回路をフラットケーブル２０と該フラットケーブル２０に固定した端子金具２３のみから構成することができ、大電流用のフラットケーブル２０を分岐させるのに導電性金属板からなるバスバーを不要とすることができる。
【００３１】
図９は、本発明の第３実施形態を示す。
本実施形態では、第１実施形態と同様のフラットケーブル２０をヒューズブロックではなく、ジャンクションボックス６０内に挿入している。
フラットケーブル２０の端子金具２３をヒューズ４０の入力端子４１と接続する一方、ジャンクションボックス６０内のバスバー６１に設けたヒューズ用出力端子６１ａをヒューズ４０の出力端子４２と接続している。
また、ジャンクションボックス６０には、コネクタ収容部６２やリレー収容部（図示せず）を設けている。
【００３２】
前記構成によれば、コネクタレスでフラットケーブル２０とジャンクションボックス６０の内部回路とを接続することができ、フラットケーブル２０とジャンクションボックスの内部回路との接続を簡素化でき、かつ、部品点数を低減することができる。
【図面の簡単な説明】
【００３３】
【図１】本発明の第１実施形態のフラットケーブルを備えたヒューズブロックを示す図面である。
【図２】ヒューズブロックの断面図である。
【図３】ジャンクションボックスの斜視図である。
【図４】ジャンクションボックスにヒューズブロックを組み付けた状態を示す断面図である。
【図５】第１実施形態の第１変形例を示す図面である。
【図６】第１実施形態の第２変形例を示す図面である。
【図７】第１実施形態の第３変形例を示す図面である。
【図８】第２実施形態のヒューズブロックの断面図である。
【図９】第３実施形態のジャンクションボックスの断面図である。
【図１０】（Ａ）（Ｂ）は従来例を示す図面である。
【符号の説明】
【００３４】
１０  ヒューズブロック（電気接続箱）
１４  開口
１５  ヒューズ収容部
１６  リブ
１８  バネ片
２０  フラットケーブル
２１  導体
２３  端子金具（電源側入力端子）
２３ｃ  端子圧接用スロット
３０  ジャンクションボックス
３１ａ  ヒューズ用出力端子
３５  ヒューズブロック取付部
４０  ヒューズ
６０  ジャンクションボックス（電気接続箱）
【図１】
2007288930.tif 000003
【図２】
2007288930.tif 000004
【図３】
2007288930.tif 000005
【図４】
2007288930.tif 000006
【図５】
2007288930.tif 000007
【図６】
2007288930.tif 000008
【図７】
2007288930.tif 000009
【図８】
2007288930.tif 000010
【図９】
2007288930.tif 000011
【図１０】
2007288930.tif 000012